(57)【要約】【課題】振動板の変位量が大きく、かつ、信頼性の高い液体吐出ヘッド、及び、これを備えたプリンターを提供すること。【解決手段】圧力室と、前記圧力室の一壁を形成する振動板と、前記振動板上に形成された第１電極、前記第１電極上に形成された鉛を含有する薄膜圧電体層、及び、前記薄膜圧電体層上に形成された第２電極を有する圧電素子と、前記振動板と前記薄膜圧電体層との間に設けられた鉛拡散抑制層と、を有し、前記振動板の厚さ方向における前記薄膜圧電体層の輪郭は、前記振動板の厚さ方向における前記圧力室の輪郭よりも内側に配置される、液体吐出ヘッド。【選択図】図１
2019042940.tif 000002
【特許請求の範囲】
【請求項１】
圧力室と、
前記圧力室の一壁を形成する振動板と、
前記振動板上に形成された第１電極、前記第１電極上に形成された鉛を含有する薄膜圧電体層、及び、前記薄膜圧電体層上に形成された第２電極を有する圧電素子と、
前記振動板と前記薄膜圧電体層との間に設けられた鉛拡散抑制層と、
を有し、
前記振動板の厚さ方向における前記薄膜圧電体層の輪郭は、前記振動板の厚さ方向における前記圧力室の輪郭よりも内側に配置される、液体吐出ヘッド。
【請求項２】
請求項１において、
前記振動板は、積層構造を有する、液体吐出ヘッド。
【請求項３】
請求項２において、
前記振動板は、第１層、並びに、前記第１層を挟む第２層及び第３層を含み、
前記第２層及び前記第３層は、同一組成である、液体吐出ヘッド。
【請求項４】
請求項１ないし請求項３のいずれか一項において、
前記鉛拡散抑制層は、導電性を有し、前記第１電極と前記薄膜圧電体層との間に設けられる、液体吐出ヘッド。
【請求項５】
請求項１ないし請求項３のいずれか一項において、
前記鉛拡散抑制層は、前記振動板と前記第１電極との間に設けられる、液体吐出ヘッド。
【請求項６】
請求項１ないし請求項５のいずれか一項において、
前記薄膜圧電体層の厚さは、３μｍ以下である、液体吐出ヘッド。
【請求項７】
圧力室と、
前記圧力室の一壁を形成する振動板と、
前記振動板上に形成された第１電極、前記第１電極上に形成された鉛を含有する薄膜圧電体層、及び、前記薄膜圧電体層上に形成された第２電極を有する圧電素子と、
を有し、
前記振動板の厚さ方向における前記薄膜圧電体層の輪郭は、前記振動板の厚さ方向における前記圧力室の輪郭よりも内側に配置され、
前記第１電極は、鉛拡散抑制層として機能する、液体吐出ヘッド。
【請求項８】
請求項１ないし請求項７のいずれか一項に記載の液体吐出ヘッドを含む、プリンター。
【発明の詳細な説明】
【技術分野】
【０００１】
本発明は、液体吐出ヘッド及びプリンターに関する。
【背景技術】
【０００２】
液体吐出ヘッドは、圧電素子などの駆動素子を用いて、圧力室内のインクや他の液体をノズルから吐出するものである。この圧電素子は、圧電体層及びこれを挟む電極を備えている。これらの電極に駆動電圧を印加することによる圧電体の歪みを利用して圧力室の容積を変化させ液体を吐出することができる。液体吐出ヘッドの小型化に伴い、圧電体を始めとした各部の薄膜化、小型化が要請されるようになってきている。
【０００３】
特許文献１には、圧力室が形成された基板と、基板上に形成された振動板と、振動板上に形成された圧電体薄膜素子と、を備えた液体吐出ヘッドが開示されている。
【先行技術文献】
【特許文献】
【０００４】
【特許文献１】特開２００４−０４２３２９号公報
【発明の概要】
【発明が解決しようとする課題】
【０００５】
特許文献１に記載の液体吐出ヘッドでは、薄膜圧電素子によって駆動され、当該圧電素子を構成するＰＺＴの結晶の１００面配向度を７０％を越えるようにすることで、圧電素子による振動板の変位量の向上が図られている。
【０００６】
しかしながら、圧電素子による振動板の変位量は、圧電体の結晶配向のみならず、圧電体の組成、圧電素子の形状、圧電素子の配置、振動板の形状、振動板の材質など、非常に多くの要素と関連している。またこれらの各種の要素は、互いに影響し合うことが知られており、ある特性（例えば変位量）を向上させるために特定の要素を変更すると、他の要素も変更しなければ他の特性が低下してしまうことも考えられる。
【０００７】
例えば、振動板の変位量を高めるために圧電素子の圧電体の組成を変化させると、液体吐出ヘッドの信頼性が低下する場合がある。そのため、振動板の変位量を向上させるには、変位量に関連する液体吐出ヘッドの各要素を総合的に検討することが求められる。
【０００８】
本発明の幾つかの態様に係る目的の一つは、振動板の変位量が大きく、かつ、信頼性の高い液体吐出ヘッド、及び、これを備えたプリンターを提供することにある。
【課題を解決するための手段】
【０００９】
本発明は上述の課題の少なくとも一部を解決するためになされたものであり、以下の態様又は適用例として実現することができる。
【００１０】
本発明に係る液体吐出ヘッドの一態様は、
圧力室と、
前記圧力室の一壁を形成する振動板と、
前記振動板上に形成された第１電極、前記第１電極上に形成された鉛を含有する薄膜圧電体層、及び、前記薄膜圧電体層上に形成された第２電極を有する圧電素子と、
前記振動板と前記薄膜圧電体層との間に設けられた鉛拡散抑制層と、
を有し、
前記振動板の厚さ方向における前記薄膜圧電体層の輪郭は、前記振動板の厚さ方向における前記圧力室の輪郭よりも内側に配置される。
【００１１】
このような液体吐出ヘッドは、振動板の厚さ方向における薄膜圧電体層の輪郭が、振動板の厚さ方向における圧力室の輪郭よりも内側に配置されるように形成されているので、相対的に硬い薄膜圧電体層による振動板の変形の制限が構造上抑えられる。これにより振動板の変位量を大きくすることができる。また、鉛拡散抑制層が振動板と薄膜圧電体層との間に設けられることにより、鉛が振動板へ拡散することを抑制できる。これにより鉛による振動板の脆化を抑制できるので振動板を破損しにくくでき、液体吐出ヘッドの信頼性を高めることができる。さらに、鉛拡散抑制層の存在により、鉛の拡散が抑えられるので、薄膜圧電体層の焼成温度を高くすることができる。これにより圧電素子の圧電特性を高くできるので、圧電素子自体の変形量も大きくすることができ、振動板の変位量を大きくすることができる。
【００１２】
本発明に係る液体吐出ヘッドにおいて、前記振動板は、積層構造を有してもよい。
【００１３】
このような液体吐出ヘッドによれば、初期状態（振動板が形成された直後の状態）における振動板の反りや撓みをより容易に制御することができる。
【００１４】
本発明に係る液体吐出ヘッドにおいて、
前記振動板は、第１層、並びに、前記第１層を挟む第２層及び第３層を含み、
前記第２層及び前記第３層は、同一組成であってもよい。
【００１５】
このような液体吐出ヘッドによれば、積層状態の振動板の厚さ方向における応力の均衡をとりやすい。すなわち、第１層を同一組成の第２層及び第３層により挟む、厚さ方向で対称的な構造を有しているので、初期状態（振動板が形成された直後の状態）における振動板の反りや撓みをより容易に制御することができる。さらに、鉛拡散抑制層により振動板への鉛の拡散が抑制されるため、均衡させた応力の分布を乱すことが抑制される。すなわち、このような振動板である場合に、鉛拡散抑制層の効果がより顕著となる。
【００１６】
本発明に係る液体吐出ヘッドにおいて、
前記鉛拡散抑制層は、導電性を有し、前記第１電極と前記薄膜圧電体層との間に設けられてもよい。
【００１７】
このような液体吐出ヘッドによれば、鉛拡散抑制層を第１電極の補助電極として機能させることができる。また、鉛拡散抑制層を第１電極としても利用することができる。
【００１８】
本発明に係る液体吐出ヘッドにおいて、
前記鉛拡散抑制層は、前記振動板と前記第１電極との間に設けられてもよい。
【００１９】
このような液体吐出ヘッドによれば、圧電素子に鉛拡散抑制層が含まれないので、圧電素子の圧電性能を阻害しにくく、かつ、薄膜圧電体層に含まれる鉛を振動板に対して拡散させにくくできる。また、鉛拡散抑制層が導電性を有する場合には、鉛拡散抑制層を第１電極の補助電極として機能させることができる。
【００２０】
本発明に係る液体吐出ヘッドにおいて、
前記薄膜圧電体層の厚さは、３μｍ以下であってもよい。
【００２１】
このような液体吐出ヘッドによれば、振動板の変位量をより大きくできる。
【００２２】
本発明に係る液体吐出ヘッドの一態様は、
圧力室と、
前記圧力室の一壁を形成する振動板と、
前記振動板上に形成された第１電極、前記第１電極上に形成された鉛を含有する薄膜圧電体層、及び、前記薄膜圧電体層上に形成された第２電極を有する圧電素子と、
を有し、
前記振動板の厚さ方向における前記薄膜圧電体層の輪郭は、前記振動板の厚さ方向における前記圧力室の輪郭よりも内側に配置され、
前記第１電極は、鉛拡散抑制層として機能する。
【００２３】
このような液体吐出ヘッドは、振動板の厚さ方向における薄膜圧電体層の輪郭が、振動板の厚さ方向における圧力室の輪郭よりも内側に配置されるように形成されているので、相対的に硬い薄膜圧電体層による振動板の変形の制限が構造上抑えられる。これにより振動板の変位量を大きくすることができる。また、鉛拡散抑制層として機能する第１電極が振動板と薄膜圧電体層との間に設けられることにより、鉛が振動板へ拡散することを抑制できる。これにより鉛による振動板の脆化を抑制できるので振動板を破損しにくくでき、液体吐出ヘッドの信頼性を高めることができる。さらに、鉛拡散抑制層として機能する第１電極の存在により、鉛の拡散が抑えられるので、薄膜圧電体層の焼成温度を高くすることができる。これにより圧電素子の圧電特性を高くできるので、圧電素子自体の変形量も大きくすることができ、振動板の変位量を大きくすることができる。
【００２４】
本発明に係るプリンターの一態様は、上述の液体吐出ヘッドを含む。
【００２５】
このようなプリンターは、上述の液体吐出ヘッドを含むので、振動板の変位量が大きく、液体（例えばインク）の吐出の効率が高く、液体吐出ヘッドが破損しにくいので信頼性が良好である。
【００２６】
なお、本発明において、特定のＡ部材（以下、「Ａ」という。）の「上方」又は「下方」に設けられた特定のＢ部材（以下、「Ｂ」という。）というとき、Ａの上又は下に直接Ｂが設けられた場合と、Ａの上又は下に他の部材を介してＢが設けられた場合とを含む意味である。また、Ａ上という場合も、Ａの上方という場合と同様である。また、Ａの上方又は下方にＢが存在するという場合、見る方向、角度を変えたり視野を回転すればそのように存在すると解し得ることを意味し、重力の作用方向とは無関係である。
【図面の簡単な説明】
【００２７】
【図１】実施形態に係る液体吐出ヘッドの断面の模式図。
【図２】実施形態に係る液体吐出ヘッドの断面の模式図。
【図３】実施形態に係る液体吐出ヘッドを平面的に見た模式図。
【図４】実施形態に係るプリンターを模式的に示す斜視図。
【発明を実施するための形態】
【００２８】
以下に本発明のいくつかの実施形態について説明する。以下に説明する実施形態は、本発明の一例を説明するものである。本発明は以下の実施形態になんら限定されるものではなく、本発明の要旨を変更しない範囲において実施される各種の変形形態も含む。なお以下で説明される構成の全てが本発明の必須の構成であるとは限らない。
【００２９】
１．液体吐出ヘッド
本実施形態に係る液体吐出ヘッドについて、図面を参照しながら説明する。図１及び図２は、本実施形態に係る液体吐出ヘッド２００の断面の模式図である。図３は、本実施形態に係る液体吐出ヘッド２００を平面的に見た模式図である。図１及び図２は、それぞれ
図３のＩ−Ｉ線及びＩＩ−ＩＩ線の断面に相当する。なお、図１〜図３における各部材の大きさや厚さは、説明の便宜上一部誇張して描かれており、各部材の相対的な大きさや厚さも図示したものに限定されない。
【００３０】
本発明に係る液体吐出ヘッドの一実施形態として、液体吐出ヘッド２００について説明する。本実施形態の液体吐出ヘッド２００は、ノズルプレート１０と、圧力室基板２０と、振動板３０と、圧電素子４０と、鉛拡散抑制層５０と、を含む。そして、圧力室２１は、振動板３０、圧力室基板２０及びノズルプレート１０により画定されており、振動板３０が圧力室２１の一壁を形成している。
【００３１】
１．１．ノズルプレート
ノズルプレート１０は、図１、図２に示すように、平板状の形状を有する。ノズルプレート１０は、圧力室基板２０の下方に設けられる。ノズルプレート１０は、圧力室基板２０と一体であっても別体であってもよい。別体である場合にはノズルプレート１０は、例えば接着剤や熱溶着フィルム等によって、圧力室基板２０に接合される。ノズルプレート１０は、圧力室２１の一壁（下部壁）を構成し、圧力室２１に対応した複数のノズル孔１１を有する。
【００３２】
ノズル孔１１は、圧力室２１に連通しており、圧力室２１に満たされた液体（例えばインク）は、圧力室２１の容積の変化に応じてノズル孔１１から吐出される。ノズル孔１１は、例えば圧力室２１の数に応じて複数設けられ、圧力室２１の配列する方向に沿って例えば一列に設けられる。
【００３３】
ノズルプレート１０の材質としては、シリコン、ステンレス（ＳＵＳ等）、チタン、チタン合金などを挙げることができる。
【００３４】
１．２．圧力室基板
圧力室基板２０は、圧力室２１の側壁を形成できる形状に加工されている。圧力室基板２０は、例えば、シリコン基板をエッチング加工して形成される。本実施形態では、図３に示すように圧力室２１の端部には連通路２２が形成されている。連通路２２は、圧力室２１の端部を狭窄することで、その流通断面積が小さくなるように形成されている。連通路２２の長さや形状は、特に限定されない。
【００３５】
また、図示しないが、圧力室２１は、連通路２２を介してマニホールドに接続されている。マニホールドは、各圧力室２１の共通の液体供給路である。そしてマニホールドは、液体リザーバ（液体タンク、カートリッジ等）と接続されており、該マニホールドを通じて液体タンクから液体が圧力室２１へ供給されるようになっている。なお、圧力室基板２０は、圧力室２１、連通路２２の他にも、他の流路が形成されるようにしてもよい。
【００３６】
１．３．振動板
振動板３０は、平板状の形状を有し、圧力室２１の一壁（上部壁）を構成している。振動板３０は、圧力室基板２０の上方に設けられる。振動板３０と圧力室基板２０との間には他の層が設けられてもよい。また、振動板３０は圧力室基板２０の上端面に直接設けられてもよい。振動板３０は、圧電素子４０の動作により、撓んだり振動したりすることができる。
【００３７】
本明細書では、振動板３０は、圧力室基板２０の端（上端）から鉛拡散抑制層５０までの間に存在する部材であって、圧電素子４０の動作により撓んだり振動したりする部材の全体であると定義する。但し、鉛拡散抑制層５０が導電性を有する場合であって、薄膜圧電体層４４と第１電極４２との間に配置される場合には、圧力室基板２０の端（上端）か
ら鉛拡散抑制層５０までの間に存在する第１電極４２以外の部材であって、圧電素子４０の動作により撓んだり振動したりする部材の全体であると定義する。
【００３８】
振動板３０の材質には、剛性及び機械的強度の高い材料を含むことが望ましい。振動板３０の厚さは、例えば用いる材質の機械的物性にしたがって適宜設計される。振動板３０の材質としては、例えば、酸化ジルコニウム（ＺｒＯｘ）、窒化シリコン（ＳｉＮ）、酸化シリコン（ＳｉＯｘ）、タングステン（Ｗ）、タンタル（Ｔａ）、ステンレス（ＳＵＳ）等の無機酸化物、無機窒化物、酸化窒化物、金属、合金などを例示することができる。なお添え字「ｘ」は、化学量論比で定まる値又はその近傍の値である。
【００３９】
振動板３０は、２層以上の積層構造であってもよい。積層される層の数は特に限定されない。積層構造とする場合には、各層の材質や厚さについて独立して設定することができる。振動板３０を積層構造とすることにより、例えば、液体吐出ヘッド２００を製造した場合の初期状態（例えば、圧力室基板２０のシリコンのエッチング後に、振動板３０が形成された状態）における振動板３０の反りや撓みを所定の程度に制御しやすい。また、積層構造とすることにより、例えば、振動板３０の撓みや振動の際の効率を高めることができる場合がある。
【００４０】
図１、図２の例では、振動板３０は、３層構造となっている。さらに、図示の例において、積層された３層の材質は、独立して任意であるが、例えば、圧力室基板２０側から順に、酸化シリコン、窒化シリコン、酸化シリコンとすることができる。また、図示はしないが、５層構造としてもよく、その場合の積層される各層の材質も特に限定されないが、例えば、圧力室基板２０側から順に、酸化シリコン、タングステン、酸化シリコン、タングステン、酸化シリコン等としてもよい。
【００４１】
また例示した積層構造のように、振動板３０を３層以上の積層構造とした場合に、積層している層のうち、特定の層（第１層）を中心として見た場合に、該層（第１層）を挟むように第２層及び第３層が積層され、第２層及び第３層が、同一組成（同一材質）となるような層構成が、振動板３０内で存在するようにしてもよい。このようにすれば、積層した状態の振動板３０の厚さ方向の応力の均衡をさらにとりやすくなる。すなわち、振動板３０の厚さ方向において、特定の層を中心とした対称構造を有するようにすれば、厚さ方向の応力の均衡をさらにとりやすくできる。これにより、初期状態における振動板３０の反りや撓みをさらに容易に制御することができる。また、振動板３０の全体の層構成が対称構造となっていてもよく、この場合さらに振動板３０の反りや撓みを容易に制御することができる。
【００４２】
本実施形態の液体吐出ヘッド２００では、後述する鉛拡散抑制層５０によって振動板３０への鉛の拡散が抑制されるのであるが、振動板３０を上記積層構造として初期の応力の分布を所定の状態にした場合、鉛の拡散によって応力の分布が乱されにくくなるという点で、鉛拡散抑制層５０の効果はより顕著となるといえる。
【００４３】
なお、上記の対称構造において、第２層及び第３層が、同一組成であるとともに同一厚さとなるようにしてもよい。既に述べたように各層の厚さは、適宜に設定され得るが、このようにすれば、より初期の応力をバランスさせやすくなる場合がある。
【００４４】
１．４．圧電素子
圧電素子４０は、振動板３０の上方に設けられる。圧電素子４０は、第１電極４２と薄膜圧電体層４４と第２電極４６とを含む。圧電素子４０は、圧電素子駆動回路（図示せず）に電気的に接続され、圧電素子駆動回路の信号に基づいて動作（振動、変形）することができる。圧電素子４０の動作によって振動板３０が撓み又は振動（変位）し、これによ
り圧力室２１の容積及び内部の圧力を変化させることができる。
【００４５】
１．４．１．第１電極
第１電極４２は、振動板３０の上方に形成される。第１電極４２の平面的な形状は、薄膜圧電体層４４の平面的な形状と一致していても一致していなくてもよい。第１電極４２は、図１に示すように、圧電素子４０の隣に同様の圧電素子４０があるときに、圧電素子の第１電極４２と共通の第１電極４２となるように電気的に接続してもよく、この場合には、第１電極４２は、複数の圧電素子４０の共通電極となる。また、第１電極４２は、圧電素子４０毎に設けられる個別電極であってもよい。この場合には第２電極４６を共通電極としてもよい。第１電極４２は、図示せぬ外部回路と電気的に接続される。
【００４６】
第１電極４２の厚さは、振動板３０に薄膜圧電体層４４の変形が伝達できる範囲であれば任意である。第１電極４２の厚さは、例えば５０ｎｍ以上３５０ｎｍ以下とすることができる。第１電極４２は、第２電極４６と対になり、薄膜圧電体層４４を挟んでおり、圧電素子４０の一方の電極として機能する。第１電極４２は、薄膜圧電体層４４の結晶の配向及びグレインサイズを圧電動作に適したものとする機能を有してもよい。
【００４７】
第１電極４２の材質は、導電性を有する物質である限り、特に限定されない。例えば、第１電極４２の材質には、ニッケル（Ｎｉ）、パラジウム（Ｐｄ）、白金（Ｐｔ）、チタン（Ｔｉ）などの金属、ランタンとニッケルの複合酸化物などの導電性酸化物を用いることができる。また、第１電極４２は、前記例示した材料の単層でもよいし、複数の材料を積層した構造であってもよい。
【００４８】
１．４．２．薄膜圧電体層
薄膜圧電体層４４は、第１電極４２の上方に形成される。薄膜圧電体層４４は、第１電極４２及び第２電極４６によって電界が印加されることで変形し、これにより振動板３０を撓ませたり振動させたりする。
【００４９】
薄膜圧電体層４４は、鉛を含む圧電体によって形成される。薄膜圧電体層４４の材質としては、一般式ＡＢＯ３で示されるペロブスカイト型酸化物（Ａは、Ｐｂを含み、Ｂは、Ｚｒ及びＴｉを含む。）を挙げることができる。薄膜圧電体層４４は、より具体的には、チタン酸ジルコン酸鉛（ＰＺＴ）、ニオブ酸チタン酸ジルコン酸鉛（ＰＺＴＮ）などにより形成される。
【００５０】
薄膜圧電体層４４は、例えば、ゾル・ゲル法によって形成される。ゾル・ゲル法における焼成温度は、５００℃以上９００℃以下、好ましくは６００℃以上８５０℃以下、より好ましくは６５０℃以上８３０℃以下、さらに好ましくは７００℃以上８００℃以下である。鉛を含む薄膜圧電体層４４の焼成温度は、例えば、６５０℃以上、好ましくは７００℃以上の高温であるほうが圧電特性がより良好となることが分かっている。
【００５１】
ところが薄膜圧電体層４４は鉛を含んでいるので、焼成中に鉛の拡散を生じ得る。仮に、振動板３０に対して鉛の拡散が生じると、振動板３０が脆化することが発明者らの検討により分かっている。しかし、本実施形態の液体吐出ヘッド２００を製造する際には、後述する鉛拡散抑制層５０が存在するので、薄膜圧電体層４４から振動板３０への鉛の拡散が抑制される。これにより、本実施形態の液体吐出ヘッド２００を製造する際には、薄膜圧電体層４４を、例えば、６５０℃以上、好ましくは７００℃以上で焼成することができる。これにより、圧電素子４０の圧電特性を高めるとともに、振動板３０の脆化を抑制することができる。
【００５２】
なお、薄膜圧電体層４４は、ゾル・ゲル法によって形成する際に、原料塗布、脱脂、焼
成等の任意の工程を複数回行って形成されてもよい。例えば、原料塗布、脱脂のサイクルを繰り返して行った後、焼成して形成されてもよい。薄膜圧電体層４４がこのようにして形成された場合には、薄膜圧電体層４４の厚さ方向で組成の周期的な揺らぎが形成されることがある。このような組成の揺らぎは、例えば、ＳＩＭＳ（二次イオン質量スペクトル）、（Ｓ）ＴＥＭ−ＥＤＸ（（走査）透過型電子顕微鏡−エネルギー分散Ｘ線分光）等の手法により確認することができる。
【００５３】
薄膜圧電体層４４の厚さは、３μｍ以下、好ましくは２．５μｍ以下、より好ましくは２μｍ以下である。薄膜圧電体層４４の厚さの下限としては、５００ｎｍ、好ましくは１μｍ程度である。薄膜圧電体層４４の厚さがこの程度であれば、振動板３０を効率よく撓ませたり振動させたりすることができる。
【００５４】
１．４．３．第２電極
第２電極４６は、薄膜圧電体層４４の上方に形成される。第２電極４６は、第１電極４２と対になり、圧電素子４０の一方の電極として機能する。第２電極４６の厚さは、特に限定されず、例えば１０ｎｍ以上３００ｎｍ以下とすることができる。第２電極４６の材質は、導電性を有する物質である限り、特に限定されない。第２電極４６の材質は、第１電極４２と同様であるので、説明を省略する。また、第２電極４６は、例示した材料の単層でもよいし、複数の材料を積層した構造であってもよい。
【００５５】
１．５．鉛拡散抑制層
鉛拡散抑制層５０は、振動板３０と薄膜圧電体層４４との間に設けられる。鉛拡散抑制層５０は、圧電素子４０を焼成する際に、薄膜圧電体層４４に含まれる鉛が振動板３０へと拡散することを抑制する機能を有する。
【００５６】
鉛拡散抑制層５０の厚さは、振動板３０の変形に悪影響を与えない範囲であれば任意であるが、例えば、２０ｎｍ以上４００ｎｍ以下、好ましくは３０ｎｍ以上３５０ｎｍ以下、より好ましくは４０ｎｍ以上３００ｎｍ以下とすることができる。鉛拡散抑制層５０の材質は、ＺｎＯｘ、ＡｌＯｘ、ＺｒＯｘ、ＨｆＯｘ、ＴａＯｘ、Ｉｒ、ＩｒＯｘ、ＲｕＯｘ、ＶＯｘ、ＳｒＲｕＯｘ、ＳｒＴａＯｘ、ＬａＴａＯｘ及び（ＬａＳｒ）ＣｏＯｘから選択される。ここで添え字「ｘ」は、化学量論比で定まる値又はその近傍の値である。鉛拡散抑制層５０は、例示した材料の単層でもよいし、複数の材料層を積層した構造であってもよい。
【００５７】
１．６．各構成の位置関係等
１．６．１．薄膜圧電体層及び圧力室
本実施形態の液体吐出ヘッド２００では、図１〜図３に示すように、上述の振動板３０の厚さ方向における薄膜圧電体層４４の輪郭が、振動板３０の厚さ方向における圧力室２１の輪郭よりも内側に配置される。換言すると、液体吐出ヘッド２００を振動板３０の厚さ方向に平行に投影した場合に、薄膜圧電体層４４が、圧力室２１の内側に存在する。
【００５８】
本明細書では、振動板３０の厚さ方向の部材の輪郭を述べる場合や、振動板３０の厚さ方向に平行に投影した状態を述べる場合、単に「平面視において」又は「平面的に見て」等と省略して記すことがある。
【００５９】
薄膜圧電体層４４の材質は、振動板３０や電極等と比較して弾性率が大きい。そのため、薄膜圧電体層４４が圧力室基板２０に構造的に接していると、薄膜圧電体層４４は変形しても圧力室基板２０に変形が抑え込まれる場合があり、結果として振動板３０の変位が抑え込まれる（阻害される）場合がある。しかし、平面視において、薄膜圧電体層４４が、圧力室２１の内側に存在するように配置することにより、薄膜圧電体層４４の外周が圧
力室基板２０に重ならない（構造的に薄膜圧電体層４４と圧力室基板２０とが接しない）ので、薄膜圧電体層４４の変形が振動板３０の変位に十分に貢献することができる。言い換えると、本実施形態の配置であれば、振動板３０の変形が薄膜圧電体層４４によって阻害されにくい。これにより、振動板３０の変位量をより大きくすることができる。
【００６０】
１．６．２．薄膜圧電体層及び鉛拡散抑制層
本実施形態の液体吐出ヘッド２００において、平面視における薄膜圧電体層４４の輪郭が、平面視における鉛拡散抑制層５０の輪郭と同じ又は内側に配置される。換言すると、液体吐出ヘッド２００を振動板３０の厚さ方向に平行に投影した場合に、薄膜圧電体層４４が、鉛拡散抑制層５０の内側に存在する。本実施形態の液体吐出ヘッド２００において、鉛拡散抑制層５０は、薄膜圧電体層４４の鉛が振動板３０に拡散することを抑制している。そのため、平面視における鉛拡散抑制層５０の輪郭は、薄膜圧電体層４４の輪郭と一致していてもよい。
【００６１】
鉛の拡散は、薄膜圧電体層４４の焼成時に生じやすく、物体（固体）を介して拡散する。そのため、焼成時に鉛拡散抑制層５０が薄膜圧電体層４４と振動板３０との間に存在すればよい。また、鉛の拡散は、焼成時に気体（空間）を介しては生じにくいので、焼成時において、平面視における鉛拡散抑制層５０の輪郭は、薄膜圧電体層４４の輪郭と一致するかそれよりも大きければ十分である。また、焼成時に、平面視における鉛拡散抑制層５０の輪郭は、薄膜圧電体層４４の輪郭よりも大きい場合には、焼成後に、鉛拡散抑制層５０はパターニングされてもよい。なお、焼成の前後いずれにおいても、鉛拡散抑制層５０のパターニングが薄膜圧電体層４４とともに行われた場合には、平面視において鉛拡散抑制層５０の輪郭は、薄膜圧電体層４４の輪郭と一致してもよい。
【００６２】
１．６．３．鉛拡散抑制層及び第１電極
鉛拡散抑制層５０は、振動板３０と薄膜圧電体層４４との間に配置されれば、鉛の拡散を抑制する機能を発揮できるが、本項では第１電極４２との位置関係等について述べる。
【００６３】
鉛拡散抑制層５０は、図１〜図３の例では、振動板３０と薄膜圧電体層４４との間に配置される態様のうち、振動板３０と第１電極４２との間に設けられている。このようにすれば、圧電素子４０に鉛拡散抑制層５０が含まれないので、圧電素子４０の圧電性能を阻害しにくい。なお、先に述べたように第１電極４２が各圧電素子４０の個別電極である場合も同様であるが、平面視において第１電極４２の輪郭が薄膜圧電体層４４の輪郭よりも内側にある場合には、鉛拡散抑制層５０の輪郭は、第１電極４２の輪郭よりも外側となり、薄膜圧電体層４４の輪郭と同じかそれよりも大きくなるように配置される。
【００６４】
一方、鉛拡散抑制層５０が導電性を有する場合には、鉛拡散抑制層５０を第１電極４２の導電性を補助する補助電極として機能させてもよい。すなわち、鉛拡散抑制層５０が導電性を有する場合には、鉛拡散抑制層５０を、図１〜図３の例のように、振動板３０と薄膜圧電体層４４との間に配置される態様のうち、振動板３０と第１電極４２との間に設けられてもよい。この場合において、鉛拡散抑制層５０は適宜にパターニングされてもよい。
【００６５】
さらに、鉛拡散抑制層５０が導電性を有する場合には、鉛拡散抑制層５０は、振動板３０と薄膜圧電体層４４との間に配置される態様のうち、薄膜圧電体層４４と第１電極４２との間に設けられてもよい。このようにすれば、鉛拡散抑制層５０を第１電極４２の導電性を補助する補助電極として機能させることができる。また、この場合、鉛拡散抑制層５０が、比較的導電性の高いＩｒ、ＩｒＯｘ、複合酸化物等で形成される場合には、鉛拡散抑制層５０を第１電極４２としてもよい。この場合には、圧電素子４０は、鉛拡散抑制層５０（第１電極４２）と、薄膜圧電体層４４と、第２電極４６とから構成される。この場
合、第１電極４２が鉛拡散抑制層５０として機能するとみなしてもよい。
【００６６】
なお、鉛拡散抑制層５０が導電性を有する場合であって、薄膜圧電体層４４と第１電極４２との間に設けられる場合において、先に述べたような第１電極４２が各圧電素子４０の個別電極である場合も同様である。すなわち、平面視において第１電極４２の輪郭が薄膜圧電体層４４の輪郭よりも内側にある場合には、鉛拡散抑制層５０の輪郭は、第１電極４２の輪郭よりも外側となり、薄膜圧電体層４４の輪郭と同じかそれよりも大きくなるように配置され、これにより鉛拡散抑制層５０は、第１電極４２の導電性を補完するか、又は、第１電極４２として機能することができる。また、鉛拡散抑制層５０が導電性を有する場合であって、第１電極４２が鉛拡散抑制層５０と一体的である場合、又は、第１電極４２がない場合には、鉛拡散抑制層５０を第１電極４２とみなすこともでき、それらの場合には、第１電極４２が鉛拡散抑制層５０として機能するとみなしてもよい。
【００６７】
１．６．４．鉛拡散抑制層及び振動板
鉛拡散抑制層５０は、薄膜圧電体層４４から振動板３０に向かう方向で最初に現れる上記材質の層であると定義する。すなわち、振動板３０に、鉛拡散抑制層５０となり得る材質の層が存在する場合には、当該層は、鉛拡散抑制層５０とはみなさず、振動板３０を構成する層とみなすものとする。なお、振動板３０が単層で構成され、該単層が鉛拡散抑制層５０となり得る材質である場合には、該単層は、振動板３０とみなしても、鉛拡散抑制層５０とみなしてもよい。
【００６８】
１．７．その他の構成
図１〜図３に示す本実施形態の液体吐出ヘッド２００は、絶縁層６０と、配線層７０とを有している。配線層７０は、第２電極４６の引出配線である。絶縁層６０は、配線層７０を第１電極４２と絶縁する機能を有している。
【００６９】
絶縁層６０は、第１電極４２及び薄膜圧電体層４４の側面の少なくとも一部を覆うように設けられている。図示の例では絶縁層６０は、配線層７０の下方の領域のみに設けられている。絶縁層６０の上面は、図２に示すように、水平でなくてもよい。絶縁層６０は、第１電極４２と配線層７０との間に絶縁性を確保するために設けられる。絶縁層６０の材質としては、無機物でも有機物でも用いることができる。中でも振動板３０の変位を阻害しにくいという観点で、ヤング率（弾性率）が小さい物質が好ましい。例えば、絶縁層６０の材質は、シリコン酸化物や各種ポリマーが好適である。
【００７０】
配線層７０は、絶縁層６０の上方に設けられる。配線層７０は、薄膜圧電体層４４に接して設けられてもよい。配線層７０は、第２電極４６に電気的に接続する。配線層７０は、少なくとも絶縁層６０によって、第１電極４２と電気的に絶縁される。配線層７０は、第２電極４６と図示せぬ外部回路とを電気的に接続する。配線層７０の材質には、ニッケル、イリジウム、金、白金などの各種の金属を用いることができ、これらの単層構造でもよいし多層構造であってもよい。
【００７１】
本実施形態の液体吐出ヘッド２００は、さらに適宜の構成を含んでもよい。そのような構成としては、例えば、圧電素子４０を覆う空間を形成して、圧電素子４０や振動板３０の機械的な損傷を抑制する保護基板、圧電素子４０を駆動させるための半導体集積回路（ＩＣ）を含む回路基板などがある。また、振動板３０及び第１電極４２の間、第１電極４２及び薄膜圧電体層４４の間、薄膜圧電体層４４及び第２電極４６の間、振動板３０及び鉛拡散抑制層５０の間、鉛拡散抑制層５０及び第１電極４２の間、並びに、鉛拡散抑制層５０及び薄膜圧電体層４４の間、には層間の密着性を向上させたり、鉛拡散抑制層５０の材料の結晶性を制御する等の目的で、例えば、チタン（Ｔｉ）を含む層が形成されてもよい。
【００７２】
また、図示しないが、圧力室２１を区画する壁面の一部又は全部、すなわち、振動板３０の圧力室２１側の面や、圧力室基板２０の圧力室２１を区画する側面に、ライナー層が設けられてもよい。ライナー層は、圧力室２１内に導入される液体（インク等）によって、振動板３０や圧力室基板２０が腐食することを抑制する機能を有してもよい。ライナー層の材質としては、ＴａＯｘ、パリレン（ポリキシリレン）等が挙げられる。
【００７３】
１．８．液体吐出ヘッドの製造方法
液体吐出ヘッド２００の製造は、例えば次のように行うことができる。シリコン基板上に振動板３０となる層、鉛拡散抑制層５０となる層、第１電極４２となる層、薄膜圧電体層４４となる層、及び、第２電極４６となる層を、ＣＶＤ法、スパッタ法、真空蒸着法、ゾル・ゲル法等により形成する。これらの工程には適宜及び必要に応じてマスキング、パターニングの工程が含まれてもよい。なお、薄膜圧電体層４４の焼成は、適宜のタイミングで行われることができる。また、ゾル・ゲル法においては、原料溶液塗布、予備加熱、結晶化アニールの一連の作業を数回繰り返して所望の膜厚にしてもよい。このようにしてシリコン基板上に振動板３０、鉛拡散抑制層５０、圧電素子４０が所定の形状で形成された構造体を得ることができる。また、絶縁層６０は、例えば、スピンオングラス（ＳＯＧ）法、インクジェット法等により形成でき、必要に応じてパターニングすることができる。配線層７０は、例えば、スパッタ法、真空蒸着、ＣＶＤ法、無電解めっき法等の方法で形成し、パターニングを行って形成することができる。そして、シリコン基板を上記層が形成された面と反対側から適宜のマスクを用いてエッチングして、圧力室基板２０を形成する。ノズルプレート１０は、例えばステンレス板を切削し、ノズル孔１１を所定の位置に穿孔して製造する。以上のように製造した振動板３０、鉛拡散抑制層５０、圧電素子４０を含む圧力室基板２０及びノズルプレート１０を公知の位置合わせ手段などを用いて所定の位置に、必要に応じて接着剤などを使用して組み立てることにより、液体吐出ヘッド２００が製造される。
【００７４】
１．９．作用効果
本実施形態の液体吐出ヘッド２００によれば、振動板３０の厚さ方向における薄膜圧電体層４４の輪郭が、振動板３０の厚さ方向における圧力室２１の輪郭よりも内側に配置されるように形成されているので、相対的に硬い薄膜圧電体層４４による振動板３０の変位の拘束が構造上抑えられる。そのため振動板３０の変位量を大きくすることができる。また、鉛拡散抑制層５０が振動板３０と薄膜圧電体層４４との間に設けられることにより、薄膜圧電体層４４の焼成温度を高くしても、鉛が振動板３０へ拡散することを抑制できる。これにより、圧電素子４０の圧電特性を高くすることができ、振動板３０の変位量を大きくすることができ、かつ、鉛による振動板３０の脆化を抑制できるので振動板３０を破損しにくくでき、信頼性を高めることができる。
【００７５】
本実施形態の液体吐出ヘッド２００は、例えば、プリンター等の画像記録装置に用いられる記録ヘッド、液晶ディスプレー等のカラーフィルターの製造に用いられる色材吐出ヘッド、有機ＥＬディスプレー、ＦＥＤ（面発光ディスプレー）、電気泳動ディスプレー等の電極やカラーフィルターの形成に用いられる液体材料吐出ヘッド、バイオチップ製造に用いられる生体有機材料吐出ヘッドとしても好適に利用することができる。
【００７６】
２．プリンター
次に、本実施形態に係るプリンターについて、図面を参照しながら説明する。図４は、本実施形態に係るプリンター３００を模式的に示す斜視図である。
【００７７】
本発明に係るプリンターは、本発明に係る液体吐出ヘッドを含む。以下では、一例として、液体吐出ヘッド２００を含むプリンター３００について説明する。
【００７８】
プリンター３００は、インクジェット式のプリンターである。プリンター３００は、図４に示すように、ヘッドユニット３１０を含む。ヘッドユニット３１０は、液体吐出ヘッド２００を有している。ヘッドユニット３１０を構成する液体吐出ヘッド２００の数は、特に限定されない。ヘッドユニット３１０には、カートリッジ３１２，３１４が着脱可能に設けられている。キャリッジ３１６は、ヘッドユニット３１０が搭載され、装置本体３２０に取り付けられたキャリッジ軸３２２に軸方向移動自在となっている。
【００７９】
プリンター３００では、駆動モーター３３０の駆動力が図示しない複数の歯車及びタイミングベルト３３２を介してキャリッジ３１６に伝達される。これにより、キャリッジ３１６がキャリッジ軸３２２に沿って移動される。一方、装置本体３２０には搬送手段としての搬送ローラー３４０が設けられており、紙等の記録媒体である記録シートＳが搬送ローラー３４０により搬送されるようになっている。記録シートＳを搬送する搬送手段は、搬送ローラーに限られず、ベルトやドラム等であってもよい。
【００８０】
プリンター３００は、プリンターコントローラー３５０を含む。プリンターコントローラー３５０は、液体吐出ヘッド２００の回路基板（不図示）と電気的に接続されている。プリンターコントローラー３５０は、例えば、各種データを一時的に記憶するＲＡＭ、制御プログラム等を記憶したＲＯＭ、ＣＰＵ等を含んで構成された制御部、及び液体吐出ヘッド２００へ送信する駆動信号を発生する駆動信号発生回路などを備えている。
【００８１】
プリンター３００は、上述の液体吐出ヘッド２００を含むので、十分なインク吐出性能と、信頼性とを備えている。
【００８２】
本発明は、上述した実施形態に限定されるものではなく、種々の変形が可能である。例えば、本発明は、実施形態で説明した構成と実質的に同一の構成（例えば、機能、方法及び結果が同一の構成、あるいは目的及び効果が同一の構成）を含む。また、本発明は、実施形態で説明した構成の本質的でない部分を置き換えた構成を含む。また、本発明は、実施形態で説明した構成と同一の作用効果を奏する構成又は同一の目的を達成することができる構成を含む。また、本発明は、実施形態で説明した構成に公知技術を付加した構成を含む。
【符号の説明】
【００８３】
１０…ノズルプレート、１１…ノズル孔、２０…圧力室基板、２１…圧力室、２２…連通路、３０…振動板、４０…圧電素子、４２…第１電極、４４…薄膜圧電体層、４６…第２電極、５０…鉛拡散抑制層、６０…絶縁層、７０…配線層、２００…液体吐出ヘッド、３００…プリンター、３１０…ヘッドユニット、３１２，３１４…カートリッジ、３１６…キャリッジ、３２０…装置本体、３２２…キャリッジ軸、３３０…駆動モーター、３３２…タイミングベルト、３４０…搬送ローラー、３５０…プリンターコントローラー
【図１】
2019042940.tif 000003
【図２】
2019042940.tif 000004
【図３】
2019042940.tif 000005
【図４】
2019042940.tif 000006